(57)【特許請求の範囲】
【請求項１】
本体と、
前記本体の側面または背面パネルに形成した開口と、
前記開口を覆う開閉パネルと、
前記開口に位置して前記本体内に取着し、前記本体内の機能部の制御を行うための回路が構成された回路基板と、
前記回路基板を穿設して形成した接続口と、
前記接続口の周辺に、前記回路基板から前記機能部に制御信号を送るための回路パターンを集めた接続部と、
前記機能部に一端を接続したハーネスと、
前記ハーネスの他端を接続するとともに、前記接続部と接続するコネクタと、を備えた配線装置。
【請求項２】
前記回路基板を取着した状態で、前記コネクタを、前記回路基板の検査用のテスターが接続された検査用コネクタと交換可能とした、請求項１記載の配線装置。
【請求項３】
前記接続部に対し、複数個の前記コネクタで接続する場合に、前記検査用コネクタの数を異ならせた、請求項２記載の配線装置。
【請求項４】
前記検査用コネクタの接続口は、前記コネクタを接続した前記接続口とは別に形成した、請求項２記載の配線装置。
【発明の詳細な説明】
【技術分野】
【０００１】
この発明の実施形態は、画像形成装置などに用いられる配線装置に関する。
【背景技術】
【０００２】
従来、画像形成装置などに用いられる回路基板の配線装置は、本体の側面パネルや背面パネルに対向させた状態で内部のフレームなどに取着し、ハーネスを用いて他の機能との電気的な接続が行われている。回路基板は、電子部品を搭載した側を内部側に向け、半田付けされた面を側面パネルや背面パネルと対向する状態で取り付けている。ハーネスは、回路基板の電子部品が搭載された側に実装されたコネクタに接続している。
【０００３】
しかし、内部側の回路基板面の取着されたコネクタは、側面パネルや背面パネルを外した状態では場所を確認することができなかった。このため、回路基板を取り付けているネジなどの固定手段を外さないとコネクタを確認できない、煩わしさがあった。
【先行技術文献】
【特許文献】
【０００４】
【特許文献１】特開２００８−３３５４号公報
【発明の概要】
【発明が解決しようとする課題】
【０００５】
この発明が解決しようとする課題は、メンテナンス性の良好な配線装置を提供することである。
【課題を解決するための手段】
【０００６】
実施形態の配線装置は、本体と、前記本体の側面または背面パネルに形成した開口と、前記開口を覆う開閉パネルと、前記開口に位置して前記本体内に取着し、前記本体内の機能部の制御を行うための回路が構成された回路基板と、前記回路基板を穿設して形成した接続口と、前記接続口の周辺に、前記回路基板から前記機能部に制御信号を送るための回路パターンを集めた接続部と、前記機能部に一端を接続したハーネスと、前記ハーネスの他端を接続するとともに、前記接続部と接続するコネクタと、を備えた。
【図面の簡単な説明】
【０００７】
【図１】配線装置にかかる第１の実施形態について説明するための模式的な構成図である。
【図２】図１の背面図である。
【図３】図１を背面側から見た状態を示す斜視図である。
【図４】図３要部の斜視図である。
【図５】図４要部の拡大斜視図である。
【図６】配線装置にかかる第２の実施形態について説明するための図４に相当する斜視図である。
【図７】配線装置にかかる第３の実施形態について説明するための模式的な構成図である。
【図８】回路基板に搭載される要部の構成例について説明するための概念的な構成図である。
【図９】配線装置にかかる一部構成の変形例について説明するための図である。
【図１０】配線装置にかかる一部構成の変形例について説明するための図である。
【発明を実施するための形態】
【０００８】
以下、実施形態について、図面を参照しながら詳細に説明する。
【０００９】
（第１の実施形態）
図１は、配線装置に関する第１の実施形態を示す正面図である。図２は、図１の背面図である。図３は背面側から見た斜視図である。
【００１０】
図１は、配線装置を備えた画像形成装置の例を示している。画像形成装置１００は、例えばデジタル複合機であるＭＦＰ（Multi-Function Peripheral）や、プリンタ、複写機等である。
【００１１】
画像形成装置１００の本体１１の上部には原稿台があり、原稿台上には自動原稿送り装置１２を開閉自在に設けている。本体１１の上部にはコントロールパネル１３を設けている。コントロールパネパネル１３は、各種のキーを備える操作部１３１と、タッチパネル式の表示部１３２を有している。
【００１２】
本体１１内部にはスキャナ部１６とプリンタ部１７の各機能部を有し、本体１１の下部には、各種サイズの用紙が収容された複数のカセット１８を設けている。スキャナ部１６は、自動原稿送り装置１２によって送られる原稿、または原稿台上に置かれた原稿を読み取る。
【００１３】
プリンタ部１７は感光体ドラムとレーザ等を含み、レーザからのレーザビームによって感光体ドラムの表面を走査して露光し、感光体ドラムに静電潜像を作成する。感光体ドラムの周辺には帯電器、現像器、転写器などが配置され、感光体ドラムの静電潜像は現像器によって現像し、感光体ドラムにトナー像を形成する。トナー像は転写器によって用紙に転写する。プリンタ部１７の構成としては上述した例に限らず各種の方式がある。
【００１４】
図２、図３に示すように、本体１１の背面には、スキャナ部１６とプリンタ部１７などの機能部の制御を行うための回路基板１９を配置する。回路基板１９は、本体１１の裏面に開けたメンテナンス用の開口２０の位置させた状態で、フレームなどに複数のネジ１９１により取着する。開口２０は、回路基板１９と同じような面積とする。回路基板１９は開口２０を介して出し入れ可能とする。
【００１５】
開口２０は、開閉パネル２１で塞ぐことができる。開閉パネル２１は、例えばメンテナンスのために、開閉パネル２１を開放し、回路基板１９を点検可能とするものである。開閉パネル２１の下側は、下側に一体形成した係止用の爪２０１を、本体１１の背面パネル１１１に形成した係止用の穴に係止する。開閉パネル２１の上側は、上側に貫通させ仮止め状態のネジ２０２を、本体１１内のフレームなどに形成されたネジ穴１１２に、回路基板１９に形成された切欠き１９２を介して螺合する。開閉パネル２１は、ネジ２０２をネジ穴から外し、爪２０１を係止用の穴から抜くことで、本体１１から取り外すことが可能である。開閉パネル２１は、爪２０１を係止用の穴に係止したままの状態、つまりヒンジと同様の作用による開閉も可能である。
【００１６】
回路基板１９は、電子部品が取り付けられる実装面１９３と配線パターン１９４（図５）が形成される接続面１９５からなる、いわゆる片面基板である。実装面１９３は本体１１の内側に向け、接続面１９５は開閉パネル２１と対向する向きで取り付ける。
【００１７】
回路基板１９の一辺には、切れ込み部１９６を設けている。切れ込み部１９６には、図５に示すように、回路基板１９と他の機能との接続のための配線パターン１９４を集中させ、接続部１９４１，１９４２を形成する。
【００１８】
接続部１９４１には、着脱自在なコネクタ２２１を接続する。コネクタ２２１にはハーネス２３１の一端を電気的に接続する。ハーネス２３１の他端は、回路基板１９の接続部１９４１との接続を必要とする、例えばスキャナ部１６に接続する。これにより、スキャナ部１６と接続部１９４１は電気的な接続をコネクタ２２１とハーネス２３１を介して接続する。
【００１９】
接続部１９４２には、着脱自在なコネクタ２２２を接続する。コネクタ２２２にはハーネス２３２の一端を電気的に接続する。ハーネス２３２の他端は、回路基板１９の接続部１９４２との接続を必要とする、例えばプリンタ部１７に接続する。これにより、プリンタ部１７と接続部１９４２は電気的な接続をコネクタ２２２とハーネス２３２を介して接続する。
【００２０】
コネクタ２２１，２２２は、逃げ手段としての回路基板１９に形成された切れ込み部１９６の位置で接続する。このため、回路基板１９は、ネジ１９１で本体１１内に取着された状態であってもコネクタ２２１，２２２の位置を確認することができる。
【００２１】
回路基板１９を取り外す場合は、コネクタ２２１，２２２を予め外してから、ネジ１９１を外すことで、ハーネス２２２，２２３が作業の邪魔にならない。このため、回路基板１９の取り外しの作業性が向上し、延いてはメンテナンス性が向上する。
【００２２】
この実施形態では、本体に取り付けられた回路基板の取り外しが容易となり、メンテナンスなどのために回路基板を取り外す場合の作業性向上に寄与する。
【００２３】
（第２の実施形態）
図６は、配線装置にかかる第２の実施形態について説明するための図４に相当する斜視図である。第１の実施形態と同一の構成部分には同一の符号を付し、重複する部分の説明は省略する。なお、以降の実施形態においても同様とする。
【００２４】
この実施形態は、コネクタ２２１，２２２を回路基板１９の中央側の位置で接続するようにしたものである。回路基板１９の中央側に、逃げ手段としての矩形状の接続用の接続口６１を穿設する。接続口６１の一辺に接続部１９４１，１９４２を形成する。接続部１９４１に対しコネクタ２２１を接続する。接続部１９４２に対しコネクタ２２２を接続する。
【００２５】
この実施形態では、コネクタ２２１，２２２の接続位置の自由度が向上し、延いては設計の自由度が向上する。また、回路基板１９の端面に接続した場合に比して、背面パネルが邪魔にならない分、コネクタ２２１，２２２の接続位置がよりわかりやすいものとなる。
【００２６】
（第３の実施形態）
図７および図８を参照し、配線装置にかかる第３の実施形態について説明する。図７は、模式的な斜視図である。図８は回路基板に搭載される要部の構成例について説明するための概念的な構成図である。
【００２７】
この実施形態では、本体１１内のフレームにネジ１９１で回路基板１９を取着したまま、第１の実施形態でのコネクタ２２１，２２２と着脱自在な検査用コネクタ７１の接続を差し替える。コネクタ７１の接続箇所は、第１の実施形態のコネクタ２２１，２２２が接続されていた回路基板１９の接続部１９４１，１９４２を共有化する。
【００２８】
そしてコネクタ７１に一端が電気的に接続されたハーネス７２の他端は、回路基板１９の回路の検査が可能な、例えばアプリケーションソフトがインストールされたＰＣ（Personal Computer）７３と接続する。
【００２９】
図８は、回路基板１９に搭載された回路構成のうち、ＰＣ７３の操作に基づき回路基板１９が有効に動作するかをテストする機能が盛り込まれた集積回路８０のみを示す。
【００３０】
図８に示すように、集積回路８０は、ＣＰＵ（Central Processing Unit）８１と、不揮発性メモリ８２と、タイマー回路８３と、アナログデジタル変換回路８４と、内部データバス８５と、テストインターフェイス８６とを有する。テストインターフェイス８６はコネクタ７１と接続する。
【００３１】
ＣＰＵ８１、不揮発性メモリ８２、タイマー回路８３、アナログデジタル変換回路８４は、内部データバス１０５を共有しており、データ等の情報の送受信を行う。
【００３２】
タイマー回路８３は、タイマー機能を有し、入力クロック信号に応じて、タイマー動作を行う。
【００３３】
アナログデジタル変換回路８４は、アナログデジタル変換機能を有する回路が形成されており、入力アナログ信号に応じたデジタル信号を出力する。
【００３４】
集積回路８０は、テストインターフェイス８６、コネクタ７１、ハーネス７２を介して、外部の集積回路８０を検査するためのＰＣ７３と接続する。ＰＣ７３は、ハーネス７２、コネクタ７１、テストインターフェイス８６を介して、タイマー回路８３に対して複数の条件でプログラムにあった動作テストおよび複数の条件でのアナログデジタル変換回路８３に対してプロクラムにあった動作テストを行う。そして、各動作テストの結果を、不揮発性メモリ８２に書き込むとともに、ＰＣ７３のディスプレイ上に表示する。
【００３５】
不揮発性メモリ８２に書き込まれた動作テストの結果は、例えば履歴として保存することで、以降のメンテナンスに活用することが可能となる。ディスプレイ上の表示される動作テスト結果は、予め動作確認項目をテーブルとして表し、項目毎に良否を表示してもよい。
【００３６】
このように、回路基板１９の接続部１９４１，１９４２に、通常の画像形成装置１００として使用するときは、スキャナ部１６やプリンタ部１７などに接続されたコネクタ２２１，２２２を接続する。メンテナンスなどのために外部からテスターとしてのＰＣ７３を接続する場合は、コネクタ２２１，２２２とは別のコネクタ７１を接続することができる。このため、回路基板１９を取着しているネジ１９１を取り外すことなくコネクタ７１の接続が可能となる。
【００３７】
なお、コネクタ７１は、コネクタ２２１，２２２のように分けても構わない。しかし、接続部１９４１，１９４２に一度に接続が可能なコネクタ７１とすることにより、メンテナンス性の向上につながる。
【００３８】
この実施形態は、回路基板を取り外すことなく、回路基板のテスターとなるＰＣの接続が可能となりメンテナンス性の向上を図ることができる。
【００３９】
上記の各実施形態では、コネクタ７１は、コネクタ２２１および接続部１９４１の接続箇所、それにコネクタ２２２および接続部１９４２の接続箇所は、必ずしも一致する必要はない。図９にその変形例を示す。すなわち、ハーネス７２の導体７２ａは配線パターン１９４に接続しているが、導体７２ｂは非接続状態である。動作テストのために不必要な接続部分をなくすことで接続不良となる原因排除の一助となる。
【００４０】
また、コネクタ２２１，２２２用の切れ込み部１９６とは別にコネクタ７１用の切れ込み部１９８を形成してもよい。図１０にその変形例を示す。すなわち、切れ込み部１９８の周辺に、コネクタ７１を接続するための動作検査に必要な配線パターン１９７を形成する。これにより、画像形成装置１００の機能部に接続されたコネクタ２２１，２２２はそのままに、回路基板１９を外すことなく動作検査を行うことができる。
【００４１】
さらに、コネクタ２２１，２２２は一体的のものであっても構わない。一体的なコネクタとした場合は、別々のハーネスを共通のコネクタから各機能部に配線してもよいし、コネクタと接続するハーネスの一端は一体で他端を適宜分離して使用してもよい。
【００４２】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。
【符号の説明】
【００４３】
１００  画像形成装置
１１  本体
１１１  背面パネル
１２  自動原稿送り装置
１３  コントロールパネル
１６  スキャナ部
１７  プリンタ部
１８  カセット
１９  回路基板
１９３  実装面
１９４，１９７  配線パターン
１９４１，１９４２  接続部
１９５  接続面
１９６，１９８  切れ込み部
１９１，２０２  ネジ
２０  開口
２１  開閉パネル
２２１，２２２，７１  コネクタ
２３１，２３２，７２  ハーネス
６１  接続口
７３  ＰＣ
【図１】
0005636453.tif 000002
【図２】
0005636453.tif 000003
【図３】
0005636453.tif 000004
【図４】
0005636453.tif 000005
【図５】
0005636453.tif 000006
【図６】
0005636453.tif 000007
【図７】
0005636453.tif 000008
【図８】
0005636453.tif 000009
【図９】
0005636453.tif 000010
【図１０】
0005636453.tif 000011